(57)【要約】本発明は、同軸のプラグイン電気コネクタのためのソケット（１）と付属のプラグに関する。ソケット（１）は、その内部に配置された内側接触部材（３）を備えた内側接触開口部（２）を有している。内側接触開口部（２）は、円形円筒状に形成された、外側接触部材を備えた外側プラグ（４）によって包囲されている。娯楽エレクトロニクスの機器間でオーディオ信号またはビデオ信号を伝達する際の、この種のソケットの電気的特性を改良するために、本発明は、外側プラグ（４）が電気的に絶縁性の材料からなり、外側接触部材の接触領域が接触細片（６）として形成されており、外側プラグ（４）の外側面上で前記接触細片のカーブが円形円筒状の螺旋を形成していることを、提案する。
2005520316.tif 000002
【特許請求の範囲】
【請求項１】
同軸のプラグイン電気コネクタ用のソケット（１）であって、
内側接触開口部（２）であって、その内部に配置される内側接触部材（３）を有する内側接触開口部（２）と、
内側接触開口部（２）を包囲し、円形円筒状に形成され、外側接触部材を有する外側プラグ（４）と、を具備しているものにおいて、
外側プラグ（４）は電気的に絶縁性の材料からなり、外側接触部材の接触領域は接触細片（６）として形成されており、外側プラグ（４）の外側面上における前記接触細片のカーブが円形円筒状の螺旋を形成している、ことを特徴とするソケット。
【請求項２】
電気的に絶縁性の材料からなる基体（５）を有し、前記基体は外側プラグ（４）と一体的に形成されており、外側接触部材は金属の打抜き曲げ部品（７）として基体（５）内に埋め込まれていることを特徴とする請求項１に記載のソケット。
【請求項３】
外側接触部材の接触細片（６）は、外側プラグ（４）の外側に設けられた螺旋溝内へ挿入されていることを特徴とする請求項１と２のいずれか１項に記載のソケット。
【請求項４】
内側接触部材（３）は、電気的に絶縁性の材料からなる支持体ボディ（９）内へ埋め込まれており、前記支持体ボディは基体（５）の対応する孔内へ軸方向に挿入可能であることを特徴とする請求項３に記載のソケット。
【請求項５】
螺旋のねじ山の高さは、外側プラグ（４）の長さにほぼ相当することを特徴とする請求項１から４のいずれか１項に記載のソケット。
【請求項６】
内側接触部材（３）および／または外側接触部材は、高導通性の電解銅からなることを特徴とする請求項１から５のいずれか１項に記載のソケット。
【請求項７】
外側プラグ（４）の電気的に絶縁性の材料が、着色されていることを特徴とする請求項１から６のいずれか１項に記載のソケット。
【請求項８】
外側プラグ（４）および／または基体（５）は、ＰＴＦＥプラスチック材料からなることを特徴とする請求項１から７のいずれか１項に記載のソケット。
【請求項９】
接触細片（６）は、外側プラグ（４）の外側面上で２つ以上の螺旋部分（６’、６”）に分割されており、前記螺旋部分は接触ウェブ（６’”）を介して半田ストラップ（８）と結合されていることを特徴とする請求項１から８のいずれか１項に記載のソケット。
【請求項１０】
電気コネクタプラグ（１３）であって、
内側接触ピン（１６）のための電気的に絶縁性の支持体部材（１５）が固定されている、プラグボディ（１４）を有し、内側接触ピン（１６）からプラグ（１３）の長手軸に関して半径方向に隔たった外側接触部材（１７）を具備するものにおいて、
外側接触部材（１７）の接触領域が、電気的に導通する接触舌片（１８）として形成されており、ソケットにプラグ（１３）を保持するために、内側接触ピン（１６）から半径方向に隔たった、電気的に絶縁性のクリップ舌片（１９）が設けられており、前記クリップ舌片は接触舌片（１８）と共に、プラグボディ（１４）に接して軸方向に移動可能に案内されるクリップソケット（２２）によって、ソケットの円形円筒状に形成された外側プラグの外側面に対して内側へ向かって押圧されることを特徴とする、電気コネクタプラグ。
【請求項１１】
接触舌片（１８）は、その内側に、ライン形状の隆起部（２６）を有していることを特徴とする請求項１０に記載の電気コネクタプラグ。
【請求項１２】
接触舌片（１８）の長手軸および／またはライン形状の隆起部（１６）は、接続プラグ（１３）の長手軸に関して斜めに方向付けされていることを特徴とする請求項１０と１１のいずれか１項に記載の電気コネクタプラグ。
【請求項１３】
接触舌片（１８）および／またはクリップ舌片（１９）は、ソケットの外側プラグの円形円筒状の形状に適合された曲率を有していることを特徴とする請求項１０から１２のいずれか１項に記載の電気コネクタプラグ。
【請求項１４】
接触舌片（１８）とクリップ舌片（１９）は、その外側に円錐状に成形された終端部分を有していることを特徴とする請求項１０から１３のいずれか１項に記載の電気コネクタプラグ。
【請求項１５】
クリップジャケット（２２）は、ベース部材（２０）とリング部材（２１）からなり、前記リング部材はベース部材（２０）に回転可能に軸承されており、リング部材（２１）の内側の円錐形状に成形された終端部分の領域が、接触舌片（１８）とクリップ舌片（１９）の外側に添接することを特徴とする請求項１４に記載の電気コネクタプラグ。
【請求項１６】
クリップ舌片（１９）は、プラグボディ（１４）に形成されていることを特徴とする請求項１０から１５のいずれか１項に記載の電気コネクタプラグ。
【請求項１７】
プラグボディ（１４）とクリップ舌片（１９）が、陽極酸化されたアルミニウムからなることを特徴とする請求項１６に記載の電気コネクタプラグ。
【請求項１８】
クリップ舌片（１９）が、支持体部材（１５）に形成されていることを特徴とする請求項１０から１５のいずれか１項に記載の電気コネクタプラグ。
【請求項１９】
クリップ舌片（１９）は、取り外し可能な係止結合または差込み結合によって支持体部材（１５）に固定可能であることを特徴とする請求項１０から１５のいずれか１項に記載の電気コネクタプラグ。
【請求項２０】
プラグ（１３）の外側接触部材（１７）は、取り外し可能な係止結合または差込み結合（２７）によって支持体部材（１５）に固定可能であることを特徴とする請求項１０から１９のいずれか１項に記載の電気コネクタプラグ。
【請求項２１】
クリップ舌片（１９）と接触舌片（１８）は、支持体部材（１５）の外周面に、周方向に互いに均一に隔たって配置されていることを特徴とする請求項１０から２０のいずれか１項に記載の電気コネクタプラグ。
【請求項２２】
接続プラグ（１３）が２つのクリップ舌片（１９）を有していることを特徴とする請求項２１に記載の電気コネクタプラグ。
【請求項２３】
電気的に絶縁性の支持体部材（１５）は、係止結合によってプラグボディ（１４）に取り外し可能に固定されていることを特徴とする請求項１０から２２のいずれか１項に記載の電気コネクタプラグ。
【請求項２４】
請求項１から９のいずれか１項に記載のソケット（１）と、請求項１０から２３のいずれか１項に記載の接続プラグ（１３）とを有する同軸の差込み接続システム。
【発明の詳細な説明】
【技術分野】
【０００１】
本発明は、内側接続開口部、その中に配置された内側接触部材および内側接触開口部を包囲する、円形円筒状に形成された、外側接触部材を備えた外側プラグを有する、同軸のプラグイン電気コネクタのためのソケットに関する。
【０００２】
さらに、本発明は、内側接触ピンのための電気的に絶縁性の支持体が固定されている、プラグボディと、プラグの長手軸に関して内側接触ピンから半径方向に隔たった外側接触部材とを有する電気コネクタプラグに関する。
【背景技術】
【０００３】
この種の同軸のプラグインコネクタは、「シンチプラグ（締付けプラグ）」または「ＲＣＡプラグ」の名称で知られており、オーディオ信号またはビデオ信号を非同期で伝達するために、娯楽エレクトロニクスの機器間に取り外し可能なケーブル接続を形成するために用いられる。従来のＲＣＡプラグは、通常は中空円筒状に形成された、内側接触ピンに対して同軸に配置されている外側接点を有している。この外側接点は、通常、リング形状の金属細片からなり、その金属細片は軸方向に延びるスリットを有している。プラグは、このスリットを備えた金属細片によって、付属のシンチソケットまたはＲＣＡソケットの同様に円形円筒状に形成された外側プラグに係止される。プラグとソケットとの力による結合を形成するために、この種のＲＣＡ差込み接続においては、外側接点のスリットを有する金属細片のばね弾性的な特性が利用される。
【０００４】
特許文献１からは、円形円筒状に形成された外側接触部材を有する、同軸のプラグイン電気コネクタのためのソケットが知られている。外側接触部材の内側に、ばね弾性を有する接触ワイヤが取り付けられており、外側接触部材の内側におけるその接触ワイヤの推移は、弦巻き形状とすることができる。接触ワイヤによって、既知のソケットを対応するプラグと接続する場合に差込み力と引抜き力が定められる。
【０００５】
同軸のプラグイン電気コネクタのための組込みソケットは、さらに、特許文献２から知られている。このソケットにおいても同様に、外側接触部材は全体として円形円筒状に形成されており、外側接触部材の外側上に隆起部が設けられており、その隆起部は外側接触部材の外側上に円形円筒状に、あるいは中断された螺旋状に延びている。この隆起部によって、ソケットの外側接触部材と付属のプラグの対応する外側接触部材との接触特性を改良しようとしている。
【０００６】
同軸プラグを収容するための他のソケットが、特許文献３から知られている。前に知られているソケット内へ差し込むべきプラグは、一周する溝を有しているので、ソケット内にプラグが係止される。
【０００７】
さらに、特許文献４からは、同軸のシールドされたソケットのためのマルチカプラが知られており、そのマルチカプラは高周波技術において使用するように定められている。前に知られているこのカプラにおいては、締付け装置が設けられており、その締付け装置は、プラグの弾性的な接触部材とそれに対応する、接触すべきソケットの外側接触部材との間に接触を行わせる締付け力をもたらすために、用いられる。
【０００８】
上述した種類の差込み接続は、オーディオ信号およびビデオ信号を伝達するための品質に関して、下位の適性を有することが明らかにされている。内側接触ピンと外側接点からなる同軸の配置は、通常の差込み接続においては主としてインピーダンスを定める。その場合に特に、プラグのインピーダンスが使用されるケーブルの電波インピーダンスに適合されることはないので、伝達される信号の、接続箇所における反射がもたらされることが問題である。この問題は、差込み接続を介して高いデータ率を有するデジタルのオーディオ信号またはビデオ信号が伝達される場合に、特に重要である。この場合においては、非線形の信号の歪みがビットエラーと著しいデータ損失をもたらすので、差込み接続を介して伝達されるオーディオ信号またはビデオ信号の再生の品質が著しく低下する。しかしまた、好ましくないことに、アナログのオーディオ信号とビデオ信号を伝達する場合にすでに、線形の歪みがもたらされ、それが再生の品質に感知できるように作用する。さらに、外側接点の円形円筒状の金属細片内に内側接触ピンを介しての電流の流れによって誘導される渦電流が形成される可能性があり、それが予測が難しいやり方で信号と干渉し、それによって信号伝達を損なうことが知られている。
【０００９】
特許文献５からは、通常のＲＣＡソケットとのプラグイン接続を形成することを可能にするＲＣＡプラグが知られており、その場合には上述した欠点は部分的に回避される。
【００１０】
前に知られているＲＣＡプラグは、通常のスリットを備えた金属細片の代わりに、軸方向に方向付けされた、ピン形状に形成された外側接触部材を有しており、その外側接触部材は内側接触ピンに対してプラスチック材料からなる支持体部材によって、電気的な接触を形成するのに必要な機能位置に固定される。プラグを付属のソケットに保持するために、支持体部材には、同様にプラスチック材料からなるカラー部分が形成されており、そのカラー部分がソケットの円形円筒状の外側接点に係止される。ピン形状の外側接点は、カラー部分のプラスチック材料内に埋め込まれているので、プラグが外側からソケットに差し込まれた場合に接触ピンはソケットの外側接点に対して押圧される。ピン形状の外側接点は、前に知られているＲＣＡプラグにおいては、その接触領域内に円筒状、あるいはまた球状あるいは楕円体形状に形成されている。
【００１１】
上述した文献から知られているＲＣＡプラグのインピーダンス特性は、上で説明した従来のＲＣＡプラグにおけるものと著しく異なっており、それは特に、従来一般的であった、内側接触ピンに対して軸方向に同軸に配置された、アース接点としての金属細片を省くことが原因である。この種のＲＣＡプラグによって電気的な差込み接続を形成する場合には、ソケットの、プラグが差し込まれる側に、相変わらず上述したネガティブな特性が与えられていることが、問題である。すなわち、ソケット内へ差し込まれたプラグの内側接触ピンがその中に位置する、内側接触開口部は、従来のＲＣＡソケットにおいては、外側接触部材を形成する、ソケットの外側プラグの金属ボディによって完全に包囲されている。外側プラグの円形円筒状の金属ジャケットが、主として、差込み接続のかなりの容量を定める。さらに、外側プラグの金属ジャケット内に、上述した渦電流が誘導される可能性があり、それが信号伝達にネガティブに作用する。
【００１２】
【特許文献１】欧州公開公報ＥＰ１０４９２０６Ａ２
【特許文献２】日本公開公報ＪＰ０８−３０６４４３Ａ
【特許文献３】ドイツ公開公報ＤＥ１９９０８４６９Ａ１
【特許文献４】ドイツ特許公報ＤＥ１９９２７７１３Ｃ１
【特許文献５】国際公開公報ＷＯ００／７０７１７
【発明の開示】
【発明が解決しようとする課題】
【００１３】
上記の背景に鑑み、本発明の課題は、上述した欠点と問題ができる限り回避される、同軸のプラグインコネクタを提供することである。特に、本発明によって、娯楽用電子機器間の信号伝達に関して、改良されたインピーダンス特性を有し、特に外側接触部材における渦電流の発生が防止される、同軸のプラグイン電気コネクタのためのソケットを提供しようとしている。
【課題を解決するための手段】
【００１４】
この課題設定は、冒頭で挙げた種類のソケットに基づいて、外側プラグが電気的に絶縁性の材料からなり、外側接触部材の接触領域が接触細片として形成されており、外側プラグの外側面上でその接触細片のカーブが円形円筒状の螺旋を形成することによって、解決される。
【００１５】
本発明によれば、従来のＲＣＡプラグにおいて一般的な円形円筒状に形成された金属ジャケットが、電気的に絶縁性の材料からなる外側プラグによって代用される。プラグの外側接触部材との電気的接触を形成するために、本発明に基づくソケットの螺条形状の接触細片が用いられ、その接触細片は外側プラグの外側面上に配置されている。このようにして、ソケットの内側接触面に対して同軸に配置されている外側接触部材の面積が最小にされ、それが容量の著しい減少をもたらす。外側接触部材が螺旋形状に形成されていることによって、外側プラグの外周面上の至る所で接触が可能であり、それによって、ソケットが従来のＲＣＡプラグと共に使用できることが、保証されている。しかし、外側接触部材の本発明に基づく形成は、その中に渦電流が形成される可能性のあることを阻止する。というのは、外側接触部材は−従来のＲＣＡソケットとは異なり−内側接触開口部を包囲する、つながった平面的な金属体を形成しないからである。
【００１６】
本発明に基づくソケットの特に簡単で安価な形成方法は、ソケットが電気的に絶縁性の材料からなる基体を有しており、その基体が外側プラグと一体的に形成されており、外側接触部材が金属の打抜き曲げ部品として基体内に埋め込まれていることによって、得られる。このようにして、ソケットは問題なくケーブルソケットとして、あるいはハウジング組込み用のソケットとして形成することができる。
【００１７】
好ましくは、本発明に基づくソケットにおいては、外側接触部材の接触細片は、外側プラグの外側に形成された螺旋状の溝内へ挿入される。このようにして、プラグをソケット内へ差し込む場合に軸方向において力が外側接触部材の接触細片に作用した場合でも、外側接触部材が外側プラグに確実に固定されていることが、保証される。
【００１８】
さらに、本発明に基づくソケットの簡単かつ安価な形成のために、内側接触部材が電気的に絶縁性の材料からなる支持体ボディ内へ埋め込まれており、その支持体ボディが基体の対応する孔内へ軸方向に挿入可能であると、効果的である。従って内側接触部材と共にソケットの中身を形成する支持体ボディは、たとえば下からソケットの基体内へ挿入することができ、ソケットの前端部に配置されている外側プラグを変形させる必要はない。
【００１９】
本発明に基づくソケットにおいて、螺旋のねじ山高さが外側プラグの長さにほぼ相当すると、特に有意義である。従って外側プラグの外側面上での接触が、周方向において各任意の箇所で可能であること、および電気的に導通する材料からなる接触細片の全面積が最小にされていることによって、ソケットの容量ができるだけ小さくなり、かつソケットはさらに市場で入手できる各ＲＣＡプラグに対して互換性を有するようになる。
【００２０】
本発明に基づくソケットにおいて、内側接触部材および／または外側接触部材を高導通性の電解銅から形成すると、効果的である。それによって、特に騒音のない接続が得られ、かつ信号損失が最小限に抑えられる。
【００２１】
特に、外側プラグの電気的に絶縁性の材料を着色すると、効果的である。というのは、娯楽エレクトロニクスの機器において接続端の対応づけのために所定のカラーコーディングが世間に認められているからである。すなわち、たとえば、立体音のオーディオ信号において右ないし左のチャネルのために赤と白の色を使用することは、一般的である。黄色は、ビデオ端子を示している。
【００２２】
さらに、本発明に基づくソケットにおいて、外側プラグおよび／または基体がＰＴＦＥプラスチック材料からなると、有意義である。「テフロン」の商標で取り引きされているこの材料は、特に温度耐性を有し、それは、たとえば外側接触部材に電気的導線が半田付けによって固定される場合に、効果的である。その場合に発生する、外側接触部材の加熱は、温度耐性の乏しいプラスチックを使用した場合には、ソケットの外側プラグないし基体が損傷されることをもたらす可能性がある。たとえばＰＥＥＫ材料のような、他の温度耐性を有するプラスチックも、同様に考えられる。
【００２３】
本発明に基づくソケットの好ましい展開は、接触細片が外側プラグの外側面上で２つ以上の螺旋部分に分割され、それら螺旋部分が接触ウェブを介して半田ストラップと接続されていることにある。この形成は、外側接触部材が金属の打抜き曲げ部品として形成される場合に、製造技術的に特に好ましい。その場合には、接触細片の、本発明に基づく螺旋形状は、２つ以上の螺旋部分の形状で存在し、接触細片のつながった螺旋形状の場合と同様に、上述した利点が達成される。
【００２４】
本発明の基礎となる課題設定、すなわち従来技術に比較して改良された同軸の差込み接続を提供することを解決するために、適切なソケットだけでなく、それに適合した電気コネクタプラグを形成することも必要である。というのは、信号伝達にとって重要な、接続の特性は、プラグとソケットからなるシステム全体によって定められるからである。
【００２５】
従って冒頭で挙げた種類の電気コネクタプラグに基づいて、本発明は、上述した課題設定をさらに、プラグの外側接触部材の接触領域が電気的に導通する接触舌片として形成されており、ソケットにプラグを保持するために、内側接触ピンから半径方向に隔たった、電気的に絶縁性のクリップ舌片が設けられており、そのクリップ舌片が接触舌片と共に、プラグボディに接して移動可能に案内されるクリップジャケットによって、ソケットの円形円筒状に形成された外側プラグの外側面に対して内側へ向かって押圧されることによって、解決する。
【００２６】
本発明に基づくプラグは、従来のＲＣＡソケットを有する同軸の差込み接続を形成するために使用するのに適している。しかし、本発明の主旨において改良された差込み接続は、プラグが本発明に基づくソケットと共に同軸の差込み接続システムを形成する場合に、実現される。
【００２７】
本発明に基づくプラグにおいては、外側接触部材として電気的に導通する接触舌片が使用されるので、外側接触部材は−従来のＲＣＡプラグの場合とは異なり−内側接触ピンを完全には包囲しない。それによってここでも差込み接続の容量が減少され、同時に渦電流の発生が防止される。ソケットにプラグを確実に保持することが保証されるようにするために、電気的に絶縁性のクリップ舌片が設けられており、そのクリップ舌片がクリップジャケットによってソケットの外側プラグの外側面に対して押圧される。従って本発明によれば、プラグとソケットとの特に堅固な力による結合が保証されている。上述した特許文献５から知られたプラグの場合とは異なり、本発明に基づくプラグにおいては、外側接触部材はクリップジャケットによってある程度アクティブにソケットの外側プラグの外側面に対して押圧される。前に知られているプラグにおいては、電気的な接触を形成するために必要な圧接力は、ばね弾性を有するプラスチック材料のみによってもたらされ、そのプラスチック材料内にプラグのピン形状の外側接点が埋め込まれている。本発明に基づくプラグをソケットに機械的に保持する場合に、接触舌片とクリップ舌片が協働し、それらがクリップジャケットによってソケットの外側プラグに対して押圧される。前に知られているプラグにおいては、ソケットにプラグを機械的に保持することも、プラスチック材料のばね弾性のみに基づいている。従って本発明によって、従来技術に比較して電気的にも機械的にも改良された同軸の差込み接続システムが提供される。
【００２８】
本発明に基づくプラグの特別な利点は、さらに、接触舌片の面積を、差込み接続のインピーダンスが使用されるケーブルの電波抵抗に適合されているように選択できることにある。すなわち接触舌片の面積は、プラグのインピーダンスに著しく影響する。特に、本発明に基づくプラグが本発明に基づくソケットと共に同軸の差込み接続を形成する場合に、プラグを形成するときにすでに、接触舌片の面積を適当に設定することによって、同軸のプラグイン電気コネクタの最適なインピーダンス特性をもたらすことができる。
【００２９】
本発明に基づく接続プラグの有意義な展開は、接触舌片が内側にライン形状の隆起部を有することによって得られる。その場合にライン形状の隆起部を介して、正確に定められた箇所においてソケットの外側接触部材との電気的接触が形成され、それは特に、プラグが本発明に基づくソケットと共に使用される場合に、効果的である。この場合においては、接触舌片のライン形状の隆起部とソケットの螺旋形状の接触細片が、ソケットの外側プラグの外側面上の少なくとも１カ所において重なり合う。重なり領域によって、差込み接続の接触面が正確かつ再現可能に定められており、かつ特に差込み接続のインピーダンスは、プラグがソケット内へ、どの程度、差し込まれるかには、ほとんど依存しない。
【００３０】
本発明に基づくソケットの螺旋形状の接触細片の確実な接触を保証するために、プラグの側において、接触舌片の長手軸および／またはライン形状の隆起部が本発明に基づく接続プラグの長手軸に関して斜めに方向づけされていると、効果的である。この場合においては、プラグのライン形状の隆起部とソケットの接触細片が、約９０°の角度で重なり合うと、効果的である。
【００３１】
好ましくは、本発明に基づく接続プラグにおいて、接触舌片および／またはクリップ舌片は、ソケットの外側プラグの円形円筒状の形状に適合された曲率を有している。それによって一方では、クリップ舌片がソケットの外側プラグに面で添接することが保証され、それがプラグとソケットの間の接続の機械的な安定にとって効果的である。さらに、接触舌片とクリップ舌片がその外側に円錐状に成形された終端部分を有している場合に、これは、接触舌片とクリップ舌片をソケットの外側プラグの外側面に対して圧接するのに効果的である。すなわちそのために、クリップジャケットの内側面の円錐状に成形された終端部部分の領域が、接触舌片およびクリップ舌片の外側面に添接し、かつプラグボディに対して軸方向に締付け固定される。このプロセスの際に発生する、接触舌片とクリップ舌片における摩耗を防止するために、クリップジャケットがベース部材とリング部材からなり、リング部材がベース部材に回転可能に軸承されており、リング部材の内側面が接触舌片とクリップ舌片の円錐状に成形された終端部分に作用すると、有意義である。
【００３２】
電気的な接続プラグの安価で簡単な形成方法は、本発明によれば、クリップ舌片がプラグボディに形成されている場合に、得られる。この場合においては、プラグボディとクリップ舌片は、たとえば陽極酸化されたアルミニウムから形成することができる。この材料は、電気的に絶縁性であって、特に固い表面を有しており、それは、クリップ舌片に発生する摩耗に関して効果的である。代替的に、クリップ舌片を、内側接触ピンのための支持体部材に形成することもできる。その場合には、クリップ舌片を取り外し可能な係止結合または差込み結合によって支持体部材に固定する可能性が生じる。支持体部材はプラスチックから形成することができるので、支持体部材に形成されたクリップ舌片が、プラグを不適切に取り扱った場合に破損することは、排除されない。従って、クリップ舌片を取り外し可能な係止結合または差込み結合によって交換することができると、有意義である。
【００３３】
さらに、プラグの外側接触部材も取り外し可能な係止結合または差込み結合によって支持体部材に固定可能であると、効果的である。このようにして外側接触部材が交換可能になり、それはたとえば、様々な大きさの接触舌片を有する外側接触部材を使用し、差込み接続のインピーダンスを変化させ、それによって使用されるケーブルの電波抵抗への適合を最適化するために、利用することができる。さらに、たとえば外側接触部材をケーブルと半田付けするために、外側接触部材を支持体部材から取り外すことができると、効果的である。それによって、場合によっては低溶融するプラスチック材料からなる支持体部材が半田付けの際に外側接触部材を介して伝達される熱によって破壊されることが、防止される。
【００３４】
プラグとソケットの間の接続の高い機械的安定性の主旨で、本発明に基づく接続プラグにおいてクリップ舌片と接触舌片が支持体部材の外周面において周方向に互いに対して均一な隔たりで配置されていると、効果的である。特に接続プラグが２つのクリップ舌片を有している場合には、接触舌片と共に、３つの点を介して行われる、プラグのソケットへの添接が保証される。この三点保持によって、２つのクリップ舌片も接触舌片もクリップジャケットによってソケットの外側プラグに対して均等に押圧されることが保証される。従って機械的および電気的な視点の元で確実な接続が得られる。
【００３５】
本発明の有意義な展開によれば、接続プラグは係止結合を有しており、その係止結合によって電気的に絶縁性の支持体部材がプラグボディに取り外し可能に結合されている。それに基づいて接続プラグを組み立てる場合とケーブルを外側接続部材ないし内側接触ピンに半田づけする場合に、利点が得られる。
【発明を実施するための最良の形態】
【００３６】
以下、図面を用いて本発明の実施例を説明する。
【００３７】
図１、２および３は、ハウジング組込み用に定められたソケットを示しており、そのソケットは全体を参照符号１で示されている。ソケット１は、前方の端部に内側接触開口部２を有しており、その中へソケット１に適合するプラグの内側接触ピンが差し込まれる。内側接触開口部２の内部には、プラグの内側接触ピンとの電気的接触を形成するための内側接触部材３が配置されている。内側接触開口部２は、円形円筒状に形成された外側プラグ４によって包囲されており、その外側プラグは電気的に絶縁性の材料、たとえばＰＴＦＥプラスチック材料からなる。外側プラグ４は、ソケット１の基体５と一体的に形成されている。外側接触部材として、ソケット１は接触細片６を有しており、外側プラグ４の外側面上の接触細片の推移は、円形円筒状の螺旋を形成している。外側接触部材は、金属の打抜き曲げ部品７として、ソケット１の基体５内へ埋め込まれている。ソケット１の後ろ側に、打抜き曲げ部品７が接触ストラップ８として形成されており、その接触ストラップにケーブルを半田付けすることができる。接触細片６は、図３に示すように、外側プラグ４の外側に形成されたねじ状の溝内へ挿入されている。内側接触部材３は、電気的に絶縁性の材料からなる支持体ボディ９内に埋め込まれており、その支持体ボディはソケット１の後ろ側に形成された、基体５の対応する孔内へ軸方向に挿入可能である。ソケット１の後ろ側において、内側接触部材３はここでもケーブルを半田付けするためのストラップ１０として形成されている。ソケット１は、外側にねじ部分１１を有している。このねじ上に、対応するナットを螺合することができ、そのナットはソケット１の基体５に形成されたカラー１２と協働して、ソケット１を、ソケットが組み込まれているハウジングの壁に固定する。
【００３８】
図４は、本発明に基づくソケットの他の実施例を示しており、図から明らかなように、本発明に基づく螺旋形状は、図示の実施例においては、外側プラグ４の外面上で接触細片が２つの螺旋部分６’と６”に分割されていることによって、生じる。図５は、図４に示すソケットの、銅から打抜き曲げ部品７として形成されている外側接触部材の形状付与を示している。螺旋部分６’と６”は、接触ウェブ６’”を介して、ソケットにケーブルを半田付けするための半田ストラップ８と接続されている。
【００３９】
図６、７および８は、本発明に基づく電気的な接続プラグを示しており、それは全体を参照符号１３で示されている。プラグ１３は、プラグボディ１４を有しており、そのプラグボディに内側接触ピン１６のための電気的に絶縁性の支持体部材１５が固定されている。支持体部材１５には、さらに、プラグ１３の長手軸に関して半径方向に隔たった外側接触部材１７が固定されており、その外側接触部材の接触領域は電気的に導通する接触舌片１８として形成されている。プラグ１３を対応するソケットに保持するために、内側接触ピン１６から半径方向に隔たった２つの電気的に絶縁性のクリップ舌片１９が設けられており、これらクリップ舌片は支持体部材１５に形成され、かつこの支持体部材と一体的に形成されている。代替的に、クリップ舌片１９を適当な、取り外し可能な係止結合または差込み結合によって支持体部材１５に固定可能とする可能性がある。図６と７によって明らかにされるように、接触舌片１８とクリップ舌片１９は、該当するソケットの外側プラグの円形円筒状の形状に適合された曲率を有している。接触舌片１８とクリップ舌片１９は、さらに、その外側に円錐状に成形された終端部分を有しており、その終端部分にベース部材２０とリング部材２１とからなるクリップジャケット２２が作用する。プラグボディ１４に接して軸方向に移動可能に案内されるクリップジャケット２２によって、電気的に絶縁性のクリップ舌片１９が接触舌片１８と共にプラグ１３をソケットに保持するために、ソケットの外側プラグの外側面に対して内側へ押圧される。クリップジャケット２２のリング部材２１は、ベース部材２０に回転可能に軸承されており、リング部材２１の内側の、円錐状に成形された終端部分の領域が、接触舌片１８とクリップ舌片１９の外側に添接する。クリップジャケット２２をプラグボディ１４に締付け固定するために、プラグボディ１４に形成されたねじ２３が用いられる。クリップジャケット２２をプラグボディ１３上に締付け固定する際にプラグの取扱いを容易にするために、クリップジャケット２２ないしプラグボディ１４に形成されたローレット２４と２５が用いられる。接触舌片１８は、図６に示すように、その内側にライン形状の隆起部２６を有しており、その隆起部を介してソケットの外側接点との電気的接触が形成される。ライン形状の隆起部２６は、接続プラグ１３の長手軸に関して斜めに方向づけされている。図７を用いて示すように、プラグ１３の外側接触部材１７は、取り外し可能な係止結合２７によって、支持体部材１５に固定されている。外側接触部材１７は、接触フラップ２８を有しており、その接触フラップはケーブルとの接触に用いられる。
【図面の簡単な説明】
【００４０】
【図１】本発明に基づくソケットの斜視図である。
【図２】図１に示すソケットの側面図である。
【図３】本発明に基づくソケットの横断面図である。
【図４】本発明に基づくソケットの他の実施例の側面図である。
【図５】図４に示すソケットのための、打抜き曲げ部品として形成された外側接触部材を示している。
【図６】本発明に基づく電気コネクタプラグの第１の斜視図である。
【図７】図４に示すプラグの第２の斜視図である。
【図８】螺合されたクリップジャケットを有するプラグの側面図である。
【図１】
2005520316.tif 000003
【図２】
2005520316.tif 000004
【図３】
2005520316.tif 000005
【図４】
2005520316.tif 000006
【図５】
2005520316.tif 000007
【図６】
2005520316.tif 000008
【図７】
2005520316.tif 000009
【図８】
2005520316.tif 000010
【国際調査報告】
2005520316.tif 000011
2005520316.tif 000012
2005520316.tif 000013
2005520316.tif 000014
2005520316.tif 000015
2005520316.tif 000016